(57)【要約】【課題】電源コードを確実に固定させるとともに、省スペースで設置でき、生産性及び信頼性の高い圧縮機の電装品保護装置を提供することを目的とする。【解決手段】電装品カバー１０３の外周面に一体成型されたコードクランプ本体１０８ａを有し、電装品カバー１０３に一体成型されたコードクランプ本体１０８ａとブラケット１０２に固定されたコード押え部１０８ｂとの間で電源コード１０４を固定した。電源コード１０４が強く引っ張られた場合においても、鉄板製のブラケット１０２に確実にコード押え部１０８ｂを固定できるため、電装品カバー１０３に力が加わることが無く、取付けネジ１０８ｄの緩みによる電源コード１０４の押さえ力の低下を抑え、信頼性の高い電装品保護装置を提供することができる。【選択図】図２
2012159070.tif 000002
【特許請求の範囲】
【請求項１】
圧縮機本体に設けたガラスターミナルを囲むように固定され、かつ一辺に係止孔を有するブラケットと、前記ガラスターミナルに接続された電装品を覆う電装品カバーを具備した電装品保護装置において、前記電装品カバーの内壁面に、前記係止孔に係止するテーパ状の爪部を形成し、さらに前記電装品カバーの外壁面に、前記電装品の電源コードを固定するコードクランプ手段を設け、前記コードクランプ手段を、前記電装品カバーと一体に形成されたコードクランプ本体と、前記ブラケットに固定されるコード押え部を具備する構成とし、前記コード押え部により、前記電源コードを前記コードクランプ本体に押付けた状態で固定するようにした圧縮機の電装品保護装置。
【請求項２】
前記ブラケットに、前記電装品カバーにおける前記コードクランプ本体を設けた壁面の内面と当接する張出し部を設け、前記コードクランプ本体に、前記コード押え部を挟持するガイド部を設け、さらに、前記コード押え部によって前記電源コードを前記コードクランプ本体に押付けた状態において、前記コード押え部を、前記コードクランプ本体を貫通する取付けネジによって前記張出し部にネジ止めした請求項１に記載の圧縮機の電装品保護装置。
【請求項３】
前記ブラケットに、前記電装品カバーにおける前記コードクランプ本体を設けた壁面の内面と当接する張出し部を設けるとともに、前記張出し部に、係止孔を設け、さらに、前記コードクランプ本体に、前記コード押え部を挟持するガイド部と、前記張出し部の係止孔に対向する貫通孔をそれぞれ設け、さらに、前記コード押え部に、前記電源コードを前記コードクランプ本体に押付けた状態において、前記コードクランプ本体の貫通孔を貫通し、前記張出し部の係止孔に係止する係止爪を設けた請求項１に記載の圧縮機の電装品保護装置。
【請求項４】
前記コード押え部に、前記コードクランプ本体とで挟持された電源コードを、コードクランプ本体側へ押圧するクランプネジを設けた請求項３に記載の圧縮機の電装品保護装置。
【発明の詳細な説明】
【技術分野】
【０００１】
本発明は、冷凍冷蔵装置等に使用される圧縮機の電装品保護装置に関するものである。
【背景技術】
【０００２】
従来、この種の電装品保護装置は、別体のコードクランプ装置を取付けたものがある（例えば、特許文献１参照）。
【０００３】
また、電装品カバーと一体にコードクランプ装置を構成したものがある（例えば、特許文献２参照）。
【０００４】
以下、図面を参照しながら上記従来の電装品保護装置を説明する。
【０００５】
図１０は、特許文献１に記載された従来の電装品保護装置の分解斜視図、図１１は、同電装品保護装置の取付け状態の拡大側面図である。
【０００６】
図１２は、特許文献２に記載された従来の電装品保護装置の分解斜視図、図１３は、同電装品保護装置のコードクランプ部の拡大図である。
【０００７】
図１０または図１１において、電動要素（図示せず）を収容した圧縮機本体１には、電動要素に電気を供給するためのガラスターミナル５が取付けられている。冷間圧延鋼板や熱間圧延鋼板などの鉄板の折曲成形によって形成されたブラケット２が、ガラスターミナル５を囲むように圧縮機本体１の外表面に固着されている。
【０００８】
電装品７は、始動リレー７ａとモータプロテクタ７ｂとから構成されており、始動リレー７ａは、電動要素への過電流供給による焼損を防止するために、電動要素への通電を制御する目的で用いられる。
【０００９】
また、モータプロテクタ７ｂは、電動要素の異常温度上昇時に、電動要素を停止制御するため、通電を遮断して、圧縮機が破損するのを防止する目的で用いられている。
【００１０】
ブラケット２は、対向する左右２辺に係止孔２ａを有している。ガラスターミナル５に電装品７が装着された後、電装品７を覆う電装品カバー３が装着される。この電装品カバー３は、合成樹脂材料により射出成型されている。
【００１１】
電装品カバー３において、ブラケット２に設けた係止孔２ａに対応する位置の内壁面には、係止孔２ａに係合するテーパ状の爪部３ａを形成している。
【００１２】
また、電装品７に電気を供給するための電源コード４を、電装品カバー３とブラケット２の間から外側へ引き出すためのコードクランプ本体８ａと別体のコード押え部８ｂと樹脂製のクランプネジ８ｃから構成されるコードクランプ部８が、電装品カバー３の下側に固設されている。コードクランプ部８は、電装品７から電源コード４が外れないように電源コード４を固定している。
【００１３】
また図１２および図１３において、電動要素（図示せず）を収容した圧縮機本体１０には、電動要素（図示せず）に電気を供給するためのガラスターミナル１５ａが取付けられている。冷間圧延鋼板や熱間圧延鋼板などの鉄板の折曲成形によって形成されたブラケット１２が、ガラスターミナル１５ａを囲むように圧縮機本体１０の外表面に固着されてい
る。
【００１４】
電装品１７は、始動リレー１７ａとモータプロテクタ１７ｂとから構成されており、始動リレー１７ａは、電動要素への過電流供給による焼損を防止するために、電動要素への通電を制御する目的で用いられる。
【００１５】
また、モータプロテクタ１７ｂは、電動要素の異常温度上昇時に、電動要素を停止制御するため、通電を遮断して圧縮機が破損するのを防止する目的で用いられている。
【００１６】
ブラケット１２は、対向する上下２辺に係止孔１２ａを有している。ガラスターミナル１５ａに電装品１７が装着された後、電装品１７を覆う電装品カバー１３が装着される。この電装品カバー１３は、合成樹脂材料により射出成型されている。電装品カバー１３は、ブラケット１２の係止孔１２ａに係合する金属クランプ１６でブラケット１２に固定される。
【００１７】
また、電装品１７に電気を供給するための電源コード１４を固定するコードクランプ部１８は、電装品カバー１３の外周面に設置されたコードクランプ本体１８ａと別体のコード押え部１８ｂを取付けるための取付けネジ１８ｄで構成され、電装品１７から電源コード１４が外れないように電源コード１４を固定している。
【００１８】
以上のように構成された電装品保護装置について、以下その動作を説明する。
【００１９】
図１０において、ガラスターミナル５に電装品７が装着され、その後、コードクランプ本体８ａがブラケット２に固定される。電装品７に繋がれた電源コード４は、別体のコード押え部８ｂに内蔵されるクランプネジ８ｃにより締め付けられることで固定される。
【００２０】
そして、電装品７を覆うための電装品カバー３が、コードクランプ部８の上面部を滑るように平行移動されながらブラケット２を外側から覆い被さるように挿入される。
【００２１】
この時に、電装品カバー３の内壁に設けたテーパ状の爪部３ａが係止孔２ａを設けたブラケット２の左右２辺に当たると、電装品カバー３のテーパ状の爪部３ａを設けている左右２つの壁面が、ブラケット２の左右２辺に対して外側へ歪み、テーパ状の爪部３ａがブラケット２の係止孔２ａに係止されるとともに、電装品カバー３がコードクランプ部８に固定されることで、電装品カバー３は、ワンタッチでブラケット２及びコードクランプ部８に装着される。
【００２２】
以上のように、上記図１０、図１１の構成は、ガラスターミナル５及び電装品７を外部からの衝撃より保護し、水などの浸入を防止するために、ワンタッチ挿入の作業で、電装品カバー３をブラケット２とコードクランプ部８に装着させることができるとともに、多様な径の電源コード４が外れないように固定することができる。
【００２３】
また、図１２の別の構成においては、ガラスターミナル１５ａに電装品１７が装着され、その後、電装品１７を覆うための電装品カバー１３がブラケット１２の上下の壁面に沿うように挿入される。
【００２４】
この時に、金属クランプ１６がブラケット１２の上下の壁面に設けられた係止孔１２ａに係合されることで、電装品カバー１３は固定される。
【００２５】
その後、電源コード１４を通した別体のコード押え部１８ｂを、取付けネジ１８ｄを用いて電装品カバー１３の外周面に設けたコードクランプ本体１８ａに取付けることで電源
コード１４を固定する。
【００２６】
以上のように、上記図１２、図１３の構成は、ガラスターミナル１５及び電装品１７を外部からの衝撃より保護し、水などの浸入を防止するために、電装品カバー１３をブラケット１２に装着させることができるとともに、部品点数を少なくすることができるので、省スペースで電源コード１４が外れないように固定することができる。
【先行技術文献】
【特許文献】
【００２７】
【特許文献１】特開２００５−３０７７９７号公報
【特許文献２】特開平８−０６８３８１号公報
【発明の概要】
【発明が解決しようとする課題】
【００２８】
しかしながら、従来の前者の構成では、コードクランプ本体８ａを別部品としているため、部品点数も多く、電装品保護装置の設置に必要なスペースが大きくなり、小型の圧縮機への取付けが困難であった。
【００２９】
また、従来の後者の構成においては、電源コード１４を固定する別体のコード押え部１８ｂを樹脂製のカバー１３に直接取付けネジで固定している構成のため、電源コード１４を強く引っ張られた際に電装品カバー１３が引っ張られることになり、最悪の場合、電装品カバー１３が外れる可能性があった。
【００３０】
また、樹脂製の電装品カバー１３に取付けネジを締め付けているため、温度変化によって樹脂製のカバーが膨張と収縮を繰り返すことで取付けネジ１８ｄの締め付けトルクが緩むことがある。最悪の場合は、コード押え部１８ｂが外れる可能性があった。
【００３１】
本発明は、上記従来の課題を解決するもので、電装品カバーが外れにくく、かつ取付け作業性が向上するとともに、電源コードを確実に固定することができ、生産性が高く信頼性の高い圧縮機の電装品保護装置を提供することを目的とする。
【課題を解決するための手段】
【００３２】
上記従来の課題を解決するために、本発明の圧縮機の電装品保護装置は、電装品の電源コードを固定するコードクランプ手段を、電装品カバーと一体に形成されたコードクランプ本体と、ブラケットに固定されるコード押え部を具備する構成とし、前記コード押え部により、前記電源コードを前記コードクランプ本体に押付けた状態で固定するようにしたものである。
【００３３】
かかる構成とすることにより、前記電装品カバーの前記ブラケットへの固定と、前記電源コードの固定を同時に行うことができ、組立作業性の向上をはかることができるものである。また、前記コード押え部のブラケットへの固定により、前記電源コードに引っ張り応力が作用しても、その応力はブラケットに作用するため、前記電装品カバーには、ほとんど作用することがない。
【発明の効果】
【００３４】
本発明の圧縮機の電装品保護装置は、電装品カバーのブラケットへの固定と、電源コードの固定を同時に行うことができ、組立作業性の向上をはかることができる。また、コード押え部により、電源コードをブラケット側へ押付け固定する構成であるため、電源コードを強固に固定することができる。さらに、電源コードに引っ張り応力が作用しても、その応力はブラケットに作用するため、電装品カバーの変形を抑制することができ、電装品
カバーの外れを抑制した信頼性の高い電装品保護装置を提供することができる。
【図面の簡単な説明】
【００３５】
【図１】本発明の実施の形態１における圧縮機の電装品保護装置の分解斜視図
【図２】同実施の形態１における圧縮機の電装品保護装置の取付け時の拡大斜視図
【図３】同実施の形態１における圧縮機の電装品保護装置を構成する電装品カバーの拡大斜視図
【図４】同実施の形態１における圧縮機の電装品保護装置を構成するコード押え部の拡大斜視図
【図５】本発明の実施の形態２における圧縮機の電装品保護装置の分解斜視図
【図６】同実施の形態２における圧縮機の電装品保護装置の取付け時の拡大斜視図
【図７】同実施の形態２における圧縮機の電装品保護装置を構成する電装品カバーの拡大斜視図
【図８】同実施の形態２における圧縮機の電装品保護装置を構成するコード押え部の拡大斜視図
【図９】本発明の実施の形態２における圧縮機の電装品保護装置の取付け時の要部拡大断面図
【図１０】従来の電装品保護装置における分解斜視図
【図１１】同従来の電装品保護装置における取付け状態の拡大側面図
【図１２】従来の別の構成の電装品保護装置における分解斜視図
【図１３】従来のさらに別の構成の電装品保護装置におけるコードクランプ部の拡大図
【発明を実施するための形態】
【００３６】
請求項１に記載の発明は、圧縮機本体に設けたガラスターミナルを囲むように固定され、かつ一辺に係止孔を有するブラケットと、前記ガラスターミナルに接続された電装品を覆う電装品カバーを具備した電装品保護装置において、前記電装品カバーの内壁面に、前記係止孔に係止するテーパ状の爪部を形成し、さらに前記電装品カバーの外壁面に、前記電装品の電源コードを固定するコードクランプ手段を設け、前記コードクランプ手段を、前記電装品カバーと一体に形成されたコードクランプ本体と、前記ブラケットに固定されるコード押え部を具備する構成とし、前記コード押え部により、前記電源コードを前記コードクランプ本体に押付けた状態で固定するようにしたものである。
【００３７】
かかる構成とすることにより、前記コード押え部の前記ブラケットへの固定に伴い、電源コードの電装品カバーへの固定と、前記電装品カバーのブラケットへの固定を同時に行うことができ、組立作業性を向上することができる。
【００３８】
また、前記電源コードは、ブラケット側に押付けられた状態で固定されているため、強固な固定であり、さらに、電源コードが強く引っ張られた場合においても、その引っ張り応力は、鉄板の折曲成形によって形成されたブラケットに作用するため、その力が前記電装品カバーに作用することを抑制することができる。したがって、電装品カバーの変形などに伴う電源コードの固定の緩みを抑制することができ、信頼性の高い電装品保護装置を提供することができる。
【００３９】
さらに、電装品カバーは、内壁面に設けたテーパ状の爪部を、ブラケットに設けた係止孔へ係止する構成とすることにより、ワンタッチで電装品カバーをブラケットに挿入固定することができ、作業性が向上することに伴い、圧縮機組立ての生産性を向上することができる。
【００４０】
請求項２に記載の発明は、請求項１に記載の発明において、前記ブラケットに、前記電
装品カバーにおける前記コードクランプ本体を設けた壁面の内面と当接する張出し部を設け、前記コードクランプ本体に、前記コード押え部を挟持するガイド部を設け、さらに、前記コード押え部によって前記電源コードを前記コードクランプ本体に押付けた状態において、前記コード押え部を、前記コードクランプ本体を貫通する取付けネジによって前記張出し部にネジ止めしたものである。
【００４１】
かかる構成とすることにより、電源コードを固定するコード押え部を取付ける際に、取付けネジの締め付けに伴い、コード押え部に回転方向の力が生じ、コード押え部が回転しようとするが、コード押え部は、コードクランプ本体のガイド部に挟持されているため、その回転が抑止される。したがって、電源コードの固定が円滑に行え、作業性をさらに向上することができる。
【００４２】
請求項３に記載の発明は、請求項１に記載の発明において、前記ブラケットに、前記電装品カバーにおける前記コードクランプ本体を設けた壁面の内面と当接する張出し部を設けるとともに、前記張出し部に、係止孔を設け、さらに、前記コードクランプ本体に、前記コード押え部を挟持するガイド部と、前記張出し部の係止孔に対向する貫通孔をそれぞれ設け、さらに、前記コード押え部に、前記電源コードを前記コードクランプ本体に押付けた状態において、前記コードクランプ本体の貫通孔を貫通し、前記張出し部の係止孔に係止する係止爪を設けたものである。
【００４３】
かかる構成とすることにより、コード押さえ部を固定する取付けネジが不要となり、さらに部品点数を少なくし、組立作業性をさらに向上することができる。
【００４４】
請求項４に記載の発明は、請求項３に記載の発明において、前記コード押え部に、前記コードクランプ本体とで挟持された電源コードを、コードクランプ本体側へ押圧するクランプネジを設けたものである。
【００４５】
かかる構成とすることにより、前記電源コードの線径が多種類であっても、電源コードを強固に固定することができ、電源コード固定の信頼性を高めることができる。
【００４６】
また、クランプネジの締め付けに伴い、前記コード押え部とブラケットの張出し部との係止による密着性をさらに高めることができ、電装品カバーのブラケットへの固定をより強固とすることができる。
【００４７】
以下、本発明の実施の形態について、図面を参照しながら説明する。なお、この実施の形態によってこの発明が限定されるものではない。
【００４８】
（実施の形態１）
図１は、本発明の実施の形態１における圧縮機の電装品保護装置の分解斜視図、図２は、同実施の形態１における圧縮機の電装品保護装置の取付け時の拡大斜視図、図３は、同実施の形態１における圧縮機の電装品保護装置を構成する電装品カバーの拡大斜視図、図４は、同実施の形態１における圧縮機の電装品保護装置を構成するコード押え部の拡大斜視図である。
【００４９】
図１から図４において、電動要素およびこの電動要素によって駆動される圧縮要素（いずれも図示せず）を収容した圧縮機本体１００には、電動要素への通電を制御するための電装品１０７を接続するガラスターミナル１０５が取付けられている。そして、冷間圧延鋼板や熱間圧延鋼板などの鉄板の折曲成形によって矩形を基調に形成されたブラケット１０２が、ガラスターミナル１０５を囲むように圧縮機本体１００の外表面に固着されている。
【００５０】
電装品１０７は、クラスター１０７ｃとモータプロテクタ１０７ｂであり、クラスター１０７ｃは、電動要素へ通電する目的で用いられ、またモータプロテクタ１０７ｂは、電動要素の異常温度上昇時に、電動要素への通電を停止して圧縮機が破損するのを防止する目的で用いられている。
【００５１】
ブラケット１０２は、上側に、一定の間隔を介して左右の位置から突出した挿入部１１２が折曲形成され、下側には、ガラスターミナル１０５を挟んで挿入部１１２の間隔と対向する位置に係止部１２２が折曲形成されている。係止部１２２には、プレスの打ち抜きにより加工された係止孔１０２ａを設けている。
【００５２】
ガラスターミナル１０５に電装品１０７が装着された後、電装品１０７を覆う電装品カバー１０３が装着される。この電装品カバー１０３は、ポリプロピレンやポリカーボネート等の合成樹脂材料により射出成形されたもので、図３に示すように内壁面上部において、ブラケット１０２の挿入部１１２に対応する位置で、かつ挿入部１１２を内壁面とで挟持する一対の挟持部１１３を設けている。
【００５３】
また、電装品カバー１０３の内壁面下部において、ブラケット１０２の係止孔１０２ａに対応する位置には、電装品カバー１０３のブラケット１０２への装着状態において、係止孔１０２ａに係止するテーパ状の爪部１２３を形成している。
【００５４】
ブラケット１０２は、一側面に張出し部１３２が折曲形成され、張出し部１３２には、固定孔（ネジ穴）１４２が設けられている。この張出し部１３２には、コード押え部１０８ｂが取付けネジ１０８ｄによって固定される。取付けネジ１０８ｄは、固定孔１４２と対応している。
【００５５】
電装品カバー１０３の側面には、ブラケット１０２の張出し部１３２を覆う位置に、後述するコード押え部１０８ｂを挟持するコの字状のガイド部１３３が設けられている。ガイド部１３３には、図３に示すように、電源コード１０４を挿入するための少なくとも１つ以上のＵ字状の切欠き部１４３が設けられ、コードクランプ本体１０８ａを構成している。また、コードクランプ本体１０８ａには、一定の間隔を介して突出する一対のリブ１０８ｅと、この一対のリブ１０８ｅの間に位置し、かつ取付けネジ１０８ｄが貫通する切欠き部１０８ｈが設けられている。さらに、電装品カバー１０３の下端には、図３に示すように出口部１５３が設けられている。
【００５６】
電装品カバー１０３には、コード押え部１０８ｂが取付けネジ１０８ｄによって取付けられる。このコード押え部１０８ｂには、図４に示すように取付けネジ１０８ｄが貫通する孔１０８ｇが設けられ、また、その内面には、切欠き部１４３に対応してリブ１０８ｆが突出して設けられている。リブ１０８ｆは、コード押え部１０８ｂのコードクランプ本体１０８ａへの固定状態において、コードクランプ本体１０８ａに設けられたリブ１０８ｅの間となる位置に設けられている。
【００５７】
電装品１０７に電気を供給するための電源コード１０４は、電装品カバー１０３とブラケット１０２の間からこの出口部１５３を通して外側へ引き出されている。
【００５８】
出口部１５３から引き出された電源コード１０４は、別体のコード押え部１０８ｂと電装品カバー１０３の側面に設けたコードクランプ本体１０８ａとの間で押圧されることで挟持され、取付けネジ１０８ｄを固定孔１４２へ螺合することにより、電源コード１０４の固定と電装品カバー１０３のブラケット１０２への固定が同時に行われる。
【００５９】
以上のように構成された電装品保護装置について、以下その組立て内容を説明する。
【００６０】
まずガラスターミナル１０５にクラスター１０７ｃを挿入固定し、電装品カバー１０３にモータプロテクタ１０７ｂを挿入した後、電装品カバー１０３をブラケット１０２に挿入する。
【００６１】
この際、まず、電装品カバー１０３に設けた略Ｕ字形状の複数の挟持部１１３が、ブラケット１０２に設けた挿入部１１２を各々挟み込む。そして、挟持部１１３に挿入部１１２を挟持した状態で、さらに電装品カバー１０３を、挿入部１１２に沿って水平移動することにより、電装品カバー１０３の下部内面に設けたテーパ状の爪部１２３が、ブラケット１０２の係止部１２２に当接する。さらに挿入を進めると、電装品カバー１０３のテーパ状の爪部１２３を設けている壁面が、係止部１２２に対して外側へ歪み、さらに挿入されることで挟持部１１３が挿入部１１２を挟み込んだ状態でテーパ状の爪部１２３がブラケット１０２の係止孔１０２ａに係止される。
【００６２】
同時に、ブラケット１０２に設けられた張出し部１３２に沿って電装品カバー１０３の側面に設置されたガイド部１３３が挿入される。
【００６３】
以上の動作により、電装品カバー１０３のブラケット１０２への仮の取付けが完了する。
【００６４】
次に、電源コード１０４の固定作業について説明する。
【００６５】
電装品カバー１０３に設けた出口部１５３から電装品１０７に電気を供給するために接続された電源コード１０４を引出し、引出した電源コード１０４を、電装品カバー１０３に設けたコードクランプ本体１０８ａのＵ字状の切欠き部１４３に通す。
【００６６】
その状態で、電源コード１０４を固定するためのコード押え部１０８ｂを、電源コード１０４とリブ１０８ｆを対向させた状態で電装品カバー１０３に設けたガイド部１３３に挿入し、電源コード１０４を押さえるように仮置きする。
【００６７】
次に、仮置き状態にあるコード押え部１０８ｂの孔１０８ｇから取付けネジ１０８ｄを通し、ガイド部１３３に設けた切欠き部１０８ｈを貫通させてブラケット１０２の張出し部１３２に設けた固定孔１４２に取付けネジ１０８ｄを締付けることにより、コード押え部１０８ｂを電装品カバー１０３へ固定する。同時に、コード押え部１０８ｂと張出し部１３２によってガイド部１３３も挟持されるため、電装品カバー１０３のブラケット１０２への固定も行われる。
【００６８】
この際、コードクランプ本体１０８ａに内蔵されるＵ字状の切欠き部１４３とコード押え部１０８ｂの間の空間が電源コード１０４の線径より小さくなるまで取付けネジ１０８ｄを締付けることで電源コード１０４は固定される。
【００６９】
また、コードクランプ本体１０８ａに設けた一対のリブ１０８ｅとコード押え部１０８ｂに設けたリブ１０８ｆの嵌め合わせによって電源コード１０４は蛇行状に曲げられ、その状態で挟持されることから、電源コード１０４は、さらに確実（強固）に固定される。
【００７０】
さらに、取付けネジ１０８ｄの締付けにより、電装品カバー１０３も同時にブラケット１０２に固定される。
【００７１】
したがって、電装品カバー１０３は、ワンタッチでブラケット１０２に挿入装着される
と同時に、電源コード１０４は、電装品カバー１０３に設置されたコードクランプ部１０８によって確実（強固）に固定され、装着作業が完了する。
【００７２】
電源コード１０４は、冷蔵庫などの組込み工程において強く引っ張られることが多い。したがって、電源コード１０４の引っ張りに伴って電装品カバー１０３に強い力が加わることで、電装品カバー１０３のテーパ状の爪部１２３とブラケット１０２の係止孔１０２ａの間の係止力が弱くなる。
【００７３】
しかしながら、本実施の形態１においては、コード押え部１０８ｂが直接ブラケット１０２に固定されていることで、電源コード１０４が強く引っ張られた場合においても、ブラケット１０２の張出し部１３２にその力が作用するため、電装品カバー１０３に強い力が加わることはなく、電装品カバー１０３の外れを抑制することができる。したがって、信頼性の高い電装品保護装置を提供することができる。
【００７４】
また、電装品カバー１０３のブラケット１０２への固定を、ワンタッチで行うことができるので、作業性をよくすることができる。
【００７５】
さらに、コード押え部１０８ｂのコードクランプ本体１０８ａからの突出が小さいため、電源コード１０４の引き回し構成をコンパクト化することができ、小型の圧縮機の場合であっても省スペースで取付けることができるので、作業性がよいものとなる。
【００７６】
また、コード押え部１０８ｂを取付けネジ１０８ｄによって締め付ける際には、コード押え部１０８ｂは取付けネジ１０８ｄの回転方向に回転しようとするが、電装品カバー１０３のガイド部１３３によってその回転が規制されるため、確実に電源コード１０４を固定することができる。
【００７７】
（実施の形態２）
図５は、本発明の実施の形態２における圧縮機の電装品保護装置の分解斜視図、図６は、同実施の形態２における圧縮機の電装品保護装置の取付け時の拡大斜視図、図７は、同実施の形態２における圧縮機の電装品保護装置を構成する電装品カバーの拡大図、図８は、同実施の形態２におけるクランプネジ付きコード押え部の拡大斜視図、図９は、同実施の形態２における圧縮機の電装品保護装置の取付け時の要部拡大断面図である。
【００７８】
図５から図９において、電動要素およびこの電動要素によって駆動される圧縮要素（いずれも図示せず）を収容した圧縮機本体２００には、電動要素への通電を制御するための電装品２０７を接続するガラスターミナル２０５が取付けられている。そして、冷間圧延鋼板や熱間圧延鋼板などの鉄板の折曲成形によって矩形を基調に形成されたブラケット２０２が、ガラスターミナル２０５を囲むように圧縮機本体２００の外表面に固着されている。
【００７９】
電装品２０７は、クラスター２０７ｃとモータプロテクタ２０７ｂであり、クラスター２０７ｃは、電動要素へ通電する目的で用いられ、またモータプロテクタ２０７ｂは、電動要素の異常温度上昇時に、電動要素への通電を停止して圧縮機が破損するのを防止する目的で用いられている。
【００８０】
ブラケット２０２は、上側に、一定の間隔を介して突出した挿入部２１２が折曲形成され、下側には、ガラスターミナル２０５を挟んで挿入部２１２の間隔と対向する位置に係止部２２２が折曲形成されている。係止部２２２には、プレスの打ち抜きにより加工された係止孔２０２ａを設けている。
【００８１】
ガラスターミナル２０５に電装品２０７が装着された後、電装品２０７を覆う電装品カバー２０３が装着される。この電装品カバー２０３は、ポリプロピレンやポリカーボネート等の合成樹脂材料により射出成形されたもので、図７に示すように内壁面上部において、ブラケット２０２の挿入部２１２に対応する位置で、かつ挿入部２１２を内壁面とで挟持する一対の挟持部２１３を設けている。
【００８２】
また、電装品カバー２０３の内壁面下部において、ブラケット２０２の係止孔２０２ａに対応する位置には、電装品カバー２０３のブラケット２０２への装着状態において、係止孔２０２ａに係止するテーパ状の爪部２２３を形成している。
【００８３】
ブラケット２０２は、一側面に張出し部２３２が折曲形成され、張出し部２３２には、コード押え部２０８ｂを係止するための係止孔２０２ｂが設けられている。
【００８４】
電装品カバー２０３の側面には、ブラケット２０２の張出し部２３２を覆う位置に、後述するコード押え部２０８ｂを挟持するコの字状のガイド部２３３が設けられている。ガイド部２３３には、図７に示すように、電源コード２０４を挿入するための少なくとも１つ以上のＵ字状の切欠き部２４３と、切欠き部２４３の間に突出したリブ２０８ｅと、リブ２０８ｅの両側に位置し、かつコード押え部２０８ｂに設けた係止爪２１８が貫通する貫通孔２０８ｆが設けられ、コードクランプ本体２０８ａを構成している。さらに、電装品カバー２０３の下端には、図７に示すように出口部２５３が設けられている。
【００８５】
電装品２０７に電気を供給するための電源コード２０４は、電装品カバー２０３とブラケット２０２の間からこの出口部２５３を通して外側へ引き出されている。
【００８６】
出口部２５３から引き出された電源コード２０４は、別体のコード押え部２０８ｂと電装品カバー２０３の側面に設けたコードクランプ本体２０８ａとの間で押圧されることで挟持され、コード押え部２０８ｂに設けた係止爪２１８を、張出し部２３２に設けた係止孔２０２ｂに係止することで仮固定される。そして、コード押え部２０８ｂに取付けられた樹脂製のクランプネジ２０８ｃを締付け操作し、電源コード２０４を電装品カバー２０３の側面に設けたコードクランプ本体２０８ａへ押圧することで電源コード２０４の固定と電装品カバー２０３のブラケット２０２への固定が同時に行われる。
【００８７】
以上のように構成された電装品保護装置について、以下その組立て内容を説明する。
【００８８】
まずガラスターミナル２０５にクラスター２０７ｃを挿入固定し、電装品カバー２０３にモータプロテクタ２０７ｂを挿入した後、電装品カバー２０３をブラケット２０２に挿入する。
【００８９】
この際、まず、電装品カバー２０３に設けた略Ｕ字形状の複数の挟持部２１３が、ブラケット２０２に設けた挿入部２１２を各々挟み込む。そして、挟持部２１３に挿入部２１２を挟持した状態で、さらに電装品カバー２０３を、挿入部１１２に沿って水平移動することにより、電装品カバー２０３の下部内面に設けたテーパ状の爪部２２３が、ブラケット２０２の係止部２２２に当接する。さらに挿入を進めると、電装品カバー２０３のテーパ状の爪部２２３を設けている壁面が、係止部２２２に対して外側へ歪み、さらに挿入されることで挟持部２１３が挿入部２１２を挟み込んだ状態でテーパ状の爪部２２３がブラケット２０２の係止孔２０２ａに係止される。
【００９０】
同時に、ブラケット２０２に設けられた張出し部２３２に沿って電装品カバー２０３の側面に設置されたガイド部２３３が挿入される。
【００９１】
以上の動作により、電装品カバー２０３のブラケット２０２への仮の取付けが完了する。
【００９２】
次に、電源コード２０４の固定作業について説明する。
【００９３】
電装品カバー２０３に設けた出口部２５３から電装品２０７に電気を供給するために接続された電源コード２０４を引出し、引出された電源コード２０４を、電装品カバー２０３に設けたコードクランプ本体２０８ａのＵ字状の切欠き部２４３に通す。
【００９４】
その状態で、電源コード２０４を固定するためのコード押え部２０８ｂを、電源コード２０４とクランプネジ２０８ｃを対向させた状態で電装品カバー２０３に設けたガイド部２３３に挿入し、電源コード２０４を押さえるように仮置きする。
【００９５】
次に、仮置き状態にあるコード押え部２０８ｂをさらに電装品カバー２０３側へ押付けることにより、コード押え部２０８ｂに設けた係止爪２１８が、コードクランプ本体２０８ａの貫通孔２０８ｆを貫通し、ブラケット２０２の張出し部２３２に設けた係止孔２０２ｂに係合する。この状態で、コード押え部２０８ｂと電装品カバー２０３のブラケット２０２への仮固定となる。
【００９６】
かかる状態は、コード押え部２０８ｂにおいて、電源コード２０４とコード押え部２０８ｂに装着された樹脂製のクランプネジ２０８ｃとの間に空間があるので、がたついている。
【００９７】
しかしながら、この後、電源コード２０４と樹脂製のクランプネジ２０８ｃとの空間、およびコードクランプ本体２０８ａに設けられたＵ字状の切欠き部２４３とクランプネジ２０８ｃの間の空間が電源コード２０４の線径より小さくなるまで、クランプネジ２０８ｃを締め付けることで、電源コード２０４が押え付けられる。同時に、コード押え部２０８ｂに設けた係止爪２１８の裏面２２８が、ブラケット２０２の係止孔２０２ｂの周囲の壁面に押付けられ、コード押え部２０８ｂと電装品カバー２０３が、ブラケット２０２へ強固に固定される。
【００９８】
また、電源コード２０４は、コードクランプ本体２０８ａに設けられたリブ２０８ｅとコード押え部２０８ｂのクランプネジ２０８ｃとの間で挟持されるため、さらに確実（強固）に固定される。
【００９９】
したがって、電装品カバー２０３は、ワンタッチでブラケット２０２に挿入装着されると同時に、電源コード２０４は、電装品カバー２０３に設置されたコードクランプ部２０８によって確実に固定され、装着作業が完了する。
【０１００】
電源コード２０４は、冷蔵庫などの組込み工程において強く引っ張られることが多い。したがって、電源コード２０４の引っ張りに伴って電装品カバー２０３に強い力が加わることで、電装品カバー２０３のテーパ状の爪部２２３とブラケット２０２の係止孔２０２ａの間の係止力が弱くなる。
【０１０１】
しかしながら、本実施の形態２においては、コード押え部２０８ｂが直接ブラケット２０２に固定されていることで、電源コード２０４が強く引っ張られた場合においても、ブラケット２０２の張出し部２３２にその力が作用するため、電装品カバー２０３に強い力が加わることはなく、電装品カバー２０３の外れを抑制することができる。したがって、信頼性の高い電装品保護装置を提供することができる。
【０１０２】
また、電装品カバー２０３のブラケット２０２への固定を、ワンタッチで行うことができるので、作業性をよくすることができる。
【０１０３】
さらに、コード押え部２０８ｂのコードクランプ本体２０８ａからの突出が小さいため、電源コード２０４の引き回し構成をコンパクト化することができ、小型の圧縮機の場合であっても省スペースで取付けることができるので、作業性がよいものとなる。
【０１０４】
また、コード押え部２０８ｂは、電源コード２０４の締め付ける際に、コード押え部２０８ｂの係止爪裏面２２８が、ブラケット２０２の係止孔２０２ｂの周囲の壁面に押さえつけられる構成としたことにより、コード押え部２０８ｂを取付けるためのネジなどの部品が不要となり、部品点数の削減と作業性の向上がはかれ、安価な電装品保護装置を提供することができる。
【産業上の利用可能性】
【０１０５】
以上のように、本発明にかかる圧縮機の電装品保護装置は、電装品カバーが外れにくく、かつ取付け作業性が向上するとともに、電源コードを確実に固定することができ、生産性が高く信頼性の高い電装品保護装置を提供できるので、冷蔵庫、エアーコンディショナー、冷凍冷蔵装置等のあらゆる圧縮機の電装品保護装置に適用することができる。
【符号の説明】
【０１０６】
１００  圧縮機本体
１０２  ブラケット
１０２ａ  係止孔
１０３  電装品カバー
１０４  電源コード
１０５  ガラスターミナル
１０７  電装品
１０８ａ  コードクランプ本体
１０８ｂ  コード押え部
１０８ｄ  取付けネジ
１２３  爪部
１３２  張出し部
１３３  ガイド部
２００  圧縮機本体
２０２  ブラケット
２０２ａ  係止孔
２０２ｂ  係止孔
２０３  電装品カバー
２０４  電源コード
２０５  ガラスターミナル
２０７  電装品
２０８ａ  コードクランプ本体
２０８ｂ  コード押え部
２０８ｃ  クランプネジ
２１８  係止爪
２２３  爪部
２３２  張出し部
２３３  ガイド部
【図１】
2012159070.tif 000003
【図２】
2012159070.tif 000004
【図３】
2012159070.tif 000005
【図４】
2012159070.tif 000006
【図５】
2012159070.tif 000007
【図６】
2012159070.tif 000008
【図７】
2012159070.tif 000009
【図８】
2012159070.tif 000010
【図９】
2012159070.tif 000011
【図１０】
2012159070.tif 000012
【図１１】
2012159070.tif 000013
【図１２】
2012159070.tif 000014
【図１３】
2012159070.tif 000015